(57)【特許請求の範囲】
【請求項１】
金属製の育苗棚の上に配設された苗用容器内に植物苗を貯蔵する貯蔵室と、
該貯蔵室内空間を少なくとも前記植物苗の茎葉の徒長を有効に抑制でき且つ死滅しない温度に保持する気温調節手段と、
前記植物苗の根圏域の温度を前記室内空間の温度変動から緩衝して前記根圏域温度の変動を微少に留める根圏域温度緩衝手段と、を有し、
前記根圏域温度緩衝手段は、前記苗用容器の側面部分に設けられた断熱材及び前記貯蔵室内に貯水されている灌水であり、
該灌水の蓄熱は前記育苗棚及び前記苗用容器の底面を介して前記根圏域に伝わることを特徴とする植物苗貯蔵システム。
【請求項２】
前記根圏域を加温する根圏域加温手段を有することを特徴とする請求項１記載の植物苗貯蔵システム。
【請求項３】
前記育苗棚の露出部分は断熱材により覆われていることを特徴とする請求項１記載の植物苗貯蔵システム。
【請求項４】
請求項１〜３の何れか１項に記載の植物苗貯蔵システムを用いて前記植物苗を貯蔵する貯蔵室内空間を少なくとも前記植物苗の茎葉の徒長を有効に抑制でき且つ死滅しない温度に保持すると共に、前記植物苗の根圏域の温度を前記室内空間の温度変動から緩衝させて前記根圏域温度の変動を微少に留める植物苗貯蔵方法。
【請求項５】
植物苗を貯蔵する貯蔵室内空間を少なくとも前記植物苗の茎葉の徒長を有効に抑制でき且つ死滅しない温度に保持すると共に、前記植物苗の根圏域の温度を前記室内空間の温度変動から緩衝させて前記根圏域温度の変動を微少に留める植物苗貯蔵方法であって、
前記植物苗として、マグネシウム、鉄又はマンガンから選択された葉緑素生成促進元素を含む肥料を与えられて育成された植物苗を用いることを特徴とする植物苗貯蔵方法。
【請求項６】
灌水を与えながら植物苗を貯蔵する貯蔵室内空間を少なくとも前記植物苗の茎葉の徒長を有効に抑制でき且つ死滅しない温度に保持すると共に、前記植物苗の根圏域の温度を前記室内空間の温度変動から緩衝させて前記根圏域温度の変動を微少に留める植物苗貯蔵方法であって、
前記灌水は、マグネシウム、鉄又はマンガンから選択された葉緑素生成促進元素を含有する肥料を含んだものが用いられることを特徴とする植物苗貯蔵方法。
【発明の詳細な説明】
【０００１】
【発明の属する技術分野】
この発明は、植物苗の貯蔵システム及び植物苗の貯蔵方法に関するものである。
【０００２】
【従来の技術】
近年においては、ハウス栽培用のキュウリ、ナス等の植物苗（苗）、特に接ぎ木苗の需要が大きい。これは農業の効率化のため、苗生産者と作物生産者（農家）の分業が進んできたからであり、今後も苗の需要は拡大することが見込まれている。
【０００３】
この苗は、苗の品種により決まった季節に需要が集中し、苗の需要の高い時期（需要時期）には、同一の生育状況にある苗を一時期に大量に用意する必要が生じる。このため、苗生産者は限られた苗生産施設にできるだけ多くの作業者を動員して、ようやく対応している。
【０００４】
その一方、主力品目の需要時期に当たらない時期には、苗生産施設および作業者に余裕ができてしまうのが現状である。
【０００５】
ここで、需要時期の影響をあまり受けないような苗生産方式に転換することができれば、苗生産施設および作業者の負荷が軽減され、苗生産コストの低減を図ることが可能になる。
【０００６】
このため、従来から、一定の品質および生育状況を保ったまま苗を貯蔵して、時期による苗生産量の平準化が図られてきている。
【０００７】
そして、より長期間の貯蔵ができるほど、苗生産施設および作業者の負荷が軽減されるため、貯蔵期間を延ばす試みがなされてきている。
【０００８】
現在、このような苗を貯蔵する方法としては、低温貯蔵法が主に採用されている。低温貯蔵法とは、低温雰囲気（例えば、キュウリの接ぎ木苗では約１５℃以下）において苗を貯蔵する方法であり、ある程度の期間（同、約７日間）であれば、茎葉の徒長を防いで貯蔵ができることがこれまで認められている。
【０００９】
一方、通常、従来の低温貯蔵法によって苗を貯蔵する場合には、発芽から養生期までの期間が短いこともあり、貯蔵前に施肥を行っていない苗を使用している。
【００１０】
【発明が解決しようとする課題】
しかしながら、苗の貯蔵期間を長期化するためには、最適温度範囲に精密に保つ必要がある。例えば、キュウリの接ぎ木苗であれば、１２℃〜１５℃の温度範囲内となるように精密に温度制御を行うことが必要であった。
【００１１】
これは、一般的に茎葉より根の方が低温に弱く、一定温度以下になると根が生育障害を起こすという問題があり、キュウリの接ぎ木苗であれば、根を１２℃以上に保つ必要がある。また、１５℃より高い場合には茎葉の徒長が進んで貯蔵期間を長期化させることができない。
【００１２】
そして、そのような精密な温度制御が可能な制御システムを導入することは、現実にはコスト面から困難であった。
【００１３】
また、貯蔵前に施肥を行っていない苗を貯蔵した場合には、貯蔵中に葉緑素の生成に必要な元素が欠乏して、茎葉が黄化するという問題があった。
【００１４】
本発明は、従来の低温貯蔵法が有する前記課題を解決し、精密な温度制御が可能な制御システムを導入しなくても苗の貯蔵をすることができる植物苗貯蔵システム、および貯蔵中の苗の茎葉の黄化を防止することができる植物苗貯蔵方法を提供することを目的としている。
【００１５】
【課題を解決するための手段】
本発明は、金属製の育苗棚の上に配設された苗用容器内に植物苗を貯蔵する貯蔵室と、該貯蔵室内空間を少なくとも前記植物苗の茎葉の徒長を有効に抑制でき且つ死滅しない温度に保持する気温調節手段と、前記植物苗の根圏域の温度を前記室内空間の温度変動から緩衝して前記根圏域温度の変動を微少に留める根圏域温度緩衝手段と、を有し、前記根圏域温度緩衝手段は、前記苗用容器の側面部分に設けられた断熱材及び前記貯蔵室内に貯水されている灌水であり、該灌水の蓄熱は、前記育苗棚及び前記苗用容器の底面を介して前記根圏域に伝わることを特徴とする植物苗貯蔵システムである。
【００１６】
また、本発明は、上述の植物苗貯蔵システムを用いて前記植物苗を貯蔵する貯蔵室内空間を少なくとも前記植物苗の茎葉の徒長を有効に抑制でき且つ死滅しない温度に保持すると共に、前記植物苗の根圏域の温度を前記室内空間の温度変動から緩衝させて前記根圏域温度の変動を微少に留める植物苗貯蔵方法である。
【００１７】
このように構成された植物苗貯蔵システムでは、気温調節手段により植物苗の茎葉の徒長を有効に抑制できると共に、室内空間の気温が一時的に低下しても灌水タンクに貯留された灌水の蓄熱が、育苗棚及び苗用容器の底面を介して植物苗を貯蔵する苗用容器内の根圏域に伝わり、かつ、この苗用容器の側面には断熱材が設けられているので、植物苗の根圏域の温度を室内空間の温度変動から緩衝して根圏域温度の変動を微少に留めることができ、これにより根圏域の温度が即座に低下することはなくなる。
【００１８】
このため、精密な制御ができる気温調節手段を採用せずとも根が生育障害を起こすことはほとんどなくなり、したがって安価な設備で苗の貯蔵が可能となる。
【００１９】
上述の植物苗貯蔵システムにおいて根圏域の温度を加温する加温手段を有することが好ましい。
【００２０】
このように構成された植物苗貯蔵システムでは、室内空間の気温が長時間低下しても、加温手段により根圏域が加温されるため、根圏域を適当な温度に保つことができる。
【００２１】
植物苗としては、マグネシウム、鉄又はマンガンから選択された葉緑素生成促進元素を含む肥料を与えられて育成された植物苗を用いるのが好ましい。
【００２２】
植物苗が葉緑素生成促進元素を含む肥料を与えられて育成されているため、植物苗には充分な葉緑素生成促進元素が蓄積されるているので、植物苗は貯蔵中も光合成が可能となり、長期貯蔵に伴う分解消費による葉緑素の減少を補うことができる。
【００２３】
また、灌水は、マグネシウム、鉄又はマンガンから選択された葉緑素生成促進元素を含有する肥料を含んだものが用いられることが好ましい。
【００２４】
灌水が葉緑素生成促進元素を含有する肥料を含んでいれば、貯蔵中に与えられる肥料に含有される葉緑素生成促進元素の作用により、植物苗は貯蔵中も光合成が可能となり、長期貯蔵に伴う分解消費による葉緑素の減少を補うことができる。
【００２５】
したがって、このような葉緑素生成促進元素を貯蔵前又は貯蔵中に施肥する植物苗貯蔵方法であれば、植物苗を長期間貯蔵しても植物苗の茎葉の黄化を防ぐことができる。
【００３７】
【発明の実施の形態１】
本発明の参考例としての植物苗貯蔵システム、およびこの植物苗貯蔵システムを用いた植物苗貯蔵方法についての実施の形態１を、図１、図２を参照して説明する。
【００３８】
図１において、植物苗貯蔵システム１０は、苗を貯蔵する室内空間１１aを有する貯蔵室１１と、室内空間１１aの気温を調節する気温調節手段としての空調装置１２と、室内空間１１aの湿度を調節する湿度調節手段としての湿度調節器１３とを有している。
【００３９】
空調装置１２および湿度調節器１３は貯蔵室１１の外部に設置されており、空調装置１２は、室内空間１１aにユニットクーラー１２aを介して例えば冷気を送風し、室内空間１１aを貯蔵室外部の気温より低く保つようになっている。
【００４０】
また、湿度調節器１３は、室内空間１１aの加湿又は除湿を適宜行い、室内空間１１aの湿度をほぼ７５〜８５％に保つようになっている。
【００４１】
そして、室内空間１１aには、苗１４を配置するための苗用容器１５が取り付けられた複数の苗配置部１６aを有する育苗棚１６と、苗配置部１６aに配置される苗１４に光を照射する調光可能な照明装置１７と、苗１４の根に供給する灌水１８aを貯めておくための灌水タンク１８とが配設されている。
【００４２】
また、苗用容器１５は上面が開口した箱状の容器となっており、苗用容器１５の周囲の側面部分及び底面部分には断熱材としての発泡スチロール１５aが設けられている。
【００４３】
さらに、苗用容器１５は、その底面の複数の排水穴を介して、供給された灌水１８aを排水できるようになっている（図示せず）。
【００４４】
また、灌水タンク１８は、育苗棚１６の最上部に配設されている。そして、この灌水タンク１８から各苗配置部１６aには灌水用パイプ１９が配管されており、この灌水用パイプ１９を介して各苗用容器１５内に灌水１８aを供給できるように構成されている。
【００４５】
次に、このような植物苗貯蔵システム１０を用いた本発明の植物苗貯蔵方法について説明する。
【００４６】
まず、この植物苗貯蔵システム１０に貯蔵される苗１４について、キュウリの接ぎ木苗を実施例として説明する。
【００４７】
図２に示すように、苗１４は、苗生産施設２０において、台木１４aと穂木１４bとを活着して生産される。
【００４８】
ここで、この本発明の植物苗貯蔵方法では、苗１４の生産に用いる台木１４a及び穂木１４bとして、施肥を行って育成したものを採用する。
【００４９】
この台木１４a及び穂木１４bに与える肥料２１としては、例えば培養液等の、葉緑素の生成に特に必要とされるマグネシウム、鉄、マンガン等の葉緑素生成促進元素を含有しているものを用いる。
【００５０】
また、このような肥料２１は、通常より多い割合で葉緑素生成促進元素を含有しているものが好ましい。
【００５１】
そして、この肥料２１の施肥が行われた台木１４aに穂木１４bを接ぎ木し、活着養生した接ぎ木苗１４を苗配置部１６a上の苗用容器１５内に配置する。
【００５２】
また、空調装置１２により室内空間１１aの気温を、キュウリの接ぎ木苗１４の徒長を有効に防止できる１５℃以下の温度、例えば約１３℃に設定する。
【００５３】
さらに、湿度調節器１３により、室内空間１１aの湿度を７５％〜８５％に保つとともに、照明装置１７により、キュウリの接ぎ木苗１４に適当な光を照射する。
【００５４】
そして、苗用容器１５内に配置された接ぎ木苗１４の根圏域に、所定の期間毎に灌水タンク１８内の灌水１８aを供給する。
【００５５】
さらに、灌水１８aとしては、適当な量の培養液を含んだものを用いる。この培養液は、肥料２１と同様に、葉緑素の生成に特に必要とされるマグネシウム、鉄、マンガン等の葉緑素生成促進元素を含有しているものがよく、前記葉緑素生成促進元素を通常より多い割合で含有しているものが、より好ましい。
【００５６】
次に、植物苗貯蔵システム１０を用いた本発明の植物苗貯蔵方法の作用について説明する。
【００５７】
まず、空調装置１２を用いて、室内空間１１aの気温を制御して、ここでは約１５℃以下に保つことにより、苗１４の茎葉の徒長を有効に抑制することができる。
【００５８】
そして、苗用容器１５の周囲の側面部分及び底面部分には根圏域温度緩衝手段としての断熱材である発泡スチロール１５aが設けられているため、発泡スチロール１５aが苗１４の根圏域と室内空間１１aとの間を断熱して、苗１４の根圏域の温度は室内空間１１aの温度変動から緩衝される。
【００５９】
したがって、室内空間１１aの気温が一時的に低下しても、苗１４の根圏域は温度変動を微少に留められて室内空間１１aの最低気温より高い温度で推移することとなる。
【００６０】
そして、苗１４の根圏域温度が１２℃未満になるまでの一定時間内に室内空間１１aの気温が１２℃以上に上昇すれば、苗１４の根圏域が生育障害を起こさない温度に保たれる。
【００６１】
このため、従来の植物苗貯蔵装置であれば、極めて精密な温度制御を必要であった（キュウリの接ぎ木苗であれば１２℃〜１５℃の範囲内での制御を必要とした）ものが、植物苗の貯蔵にこの植物苗貯蔵システム１０を用いれば、室内空間１１aの気温が一時的に低下して苗１４の根圏域が生育障害を起こす温度（同、１２℃未満）になっても、即座に前記根圏域が生育障害を起こす温度とならないため、室内空間１１aの温度制御を精密に行う必要がなくなる。
【００６２】
したがって、空調装置１２として、精密な温度制御をすることができる高価なものを採用する必要がなくなり、安価な設備で苗の貯蔵が可能となる。
【００６３】
また、従来の低温貯蔵法で苗を貯蔵すると、発芽から養生期に施肥を行っていない苗を貯蔵していたため、苗の生命活動による葉緑素の分解を補う肥料が欠乏しており、貯蔵期間の長期化に伴い茎葉が黄変して苗の品質が低下していた。
【００６４】
しかし、この本発明の植物苗貯蔵方法で用いる苗１４は、貯蔵前の段階で、葉緑素の生成に必要なマグネシウム、鉄、マンガン等の葉緑素生成促進元素を含む肥料２１が与えられて育成されいる。
【００６５】
このため、施肥されずに育成された従来の苗と比べて、苗１４には充分な葉緑素生成促進元素が蓄積しているので光合成が可能となり、長期貯蔵に伴う分解消費による葉緑素の減少を補うことができる。
【００６６】
したがって、この本発明の植物苗貯蔵方法であれば、長期間貯蔵しても苗１４の茎葉の黄化を防ぐことができる。
【００６７】
なお、本実施例では台木１４a及び穂木１４bの双方に施肥を行った苗１４を用いたが、台木１４a又は穂木１４bの一方のみに施肥を行った苗１４を用いてもよい。
【００６８】
このようにしても、苗１４には充分な葉緑素生成促進元素が蓄積しているので光合成が可能となり、長期貯蔵に伴う分解消費による葉緑素の減少を補うことができる。
【００６９】
（変形例）
図３は、この発明の実施の形態１の一つの変形例を示したものである。
【００７０】
なお、前記実施の形態１と同一ないし均等な部分については、同一符号を付して説明する。
【００７１】
本変形例の植物苗貯蔵システム１０では、苗１４の根圏域近傍に根圏域加温手段としての温水循環パイプ２２が設けてられている。
【００７２】
この温水循環パイプ２２内には、温水循環ポンプ（図示せず）により温水２２aが循環させられている。
【００７３】
温水２２aは、少なくとも苗１４の根が生育障害を起こさない温度、キュウリの接ぎ木苗であれば１２℃以上に保たれている。
【００７４】
このように根圏域加温手段としての温水循環パイプ２２により苗１４の根圏域を加温すれば、空調装置１２により、室内空間１１aの気温が苗１４の根が生育障害を起こす温度になっても苗１４の根圏域は生育障害を起こす温度とはなりにくい。
【００７５】
そして、この植物苗貯蔵システム１０では、苗１４の根圏域の周囲の側面部分及び底面部分に断熱材としての発泡スチロール１５aが設けられており、発泡スチロール１５aが苗１４の根圏域と室内空間１１aとの間を断熱する。
【００７６】
したがって、苗１４の根圏域の温度が室内空間１１aの温度変動から緩衝されて苗１４の根圏域温度の変動を微少に留めるため、更に、苗１４の根圏域は生育障害を起こす温度とはなりにくく、苗１４の根に致命的な打撃を与えることがない。
【００７７】
このため、空調装置１２として精密な温度制御をすることができる高価なものを採用する必要がなくなり、安価な設備で苗の貯蔵が可能である。
【００７８】
そして、根圏域加温手段としての温水循環パイプ２２の放熱量を大きくすれば、苗１４の根圏域温度がほとんど室内空間１１aの温度に影響されなくなるため、苗１４の根が生育障害を起こす温度範囲に拘束されずに、苗１４の茎葉が最も徒長しない気温を自由に設定することができる。
【００７９】
【発明の実施の形態２】
図４は、この発明の実施例を示すものである。
【００８０】
なお、前記実施の形態１と同一ないし均等な部分については、同一符号を付して説明する。
【００８１】
本実施の形態２においては、苗用容器１５の周囲の側面部分にのみ断熱材としての発泡スチロール１５aが設けられており、苗用容器１５の底面部分は育苗棚１６の苗配置部１６aに直接接触させられている。
【００８２】
また、育苗棚１６は金属等の熱伝導性の高い素材でできている。更に、露出している部分は断熱材に覆われているのが好ましい。
【００８３】
このように構成された植物苗貯蔵システム１０では、育苗棚１６に設けられた灌水タンク１８内の灌水１８aの熱容量が大きく、蓄熱体として働くため、室内空間１１aの気温が苗１４の根が生育障害を起こす温度の下限（キュウリの接ぎ木苗であれば１２℃）に近づき、または更に下回ることとなっても、室内空間１１aの温度変化の影響を受けにくく、即座には前記室内空間１１aの気温とは同じ温度とはならない。
【００８４】
そして、この灌水１８aに蓄えられている熱は、灌水タンク１８、育苗棚１６、苗用容器１５の底面を介して苗１４の根圏域に伝わる。
【００８５】
したがって、苗１４の根圏域に根圏域温度緩衝手段としての灌水１８aの蓄熱が伝わることにより、苗１４の根圏域は室内空間１１aの温度変化から緩衝され、温度の変動が微少に留められることとなるため、苗１４の根圏域は室内空間１１aの最低気温より高い温度で推移することとなる。
【００８６】
そして、灌水１８aの温度が１２℃未満になるまでの一定時間内に室内空間１１aの気温が１２℃以上に上昇すれば、苗１４の根圏域が生育障害を起こさない温度に保たれる。
【００８７】
このため、本実施の形態２の植物苗貯蔵システム１０では、空調装置１２により植物苗１４の茎葉の徒長を有効に抑制できると共に、室内空間１１aの気温が一時的に低下しても根圏域温度緩衝手段としての灌水１８aによって苗１４の根圏域の温度が即座に低下することはなくなるため、苗１４の根が生育障害を起こすことはほとんどない。
【００８８】
したがって、空調装置１２として精密な制御ができるものを採用する必要がなくなり、安価な設備で苗の貯蔵が可能となる。
【００８９】
（変形例）
図５は発明の実施の形態２の一つの変形例を示したものである。
【００９０】
なお、前記実施の形態２と同一ないし均等な部分については、同一符号を付して説明する。
【００９１】
この植物苗貯蔵システム１０では、灌水タンク１８内に根圏域加温手段としてのヒーター２３が設けられている。
【００９２】
このように、灌水タンク１８内に灌水１８aを加温するためのヒーター２３を設ければ、加温された灌水１８aの熱が、灌水タンク１８、育苗棚１６、苗用容器１５の底面を介して苗１４の根圏域に伝わる。
【００９３】
したがって、室内空間１１aの気温が設定温度より長時間低下して苗１４の根が生育障害を起こす温度となっても、この根圏域加温手段としてのヒーター２３により苗１４の根圏域が加温されて、苗１４の根圏域は生育障害を起こす温度とはなりにくい。
【００９４】
そして、この植物苗貯蔵システム１０では、苗１４の根圏域の周囲の側面部分に断熱材としての発泡スチロール１５aが設けられており、苗１４の根圏域の温度が室内空間１１aの温度変動から緩衝されて苗１４の根圏域温度の変動が微少に留められ、更に、苗１４の根圏域は生育障害を起こす温度とはなりにくい。
【００９５】
したがって、空調装置１２として、精密な温度制御をすることができる高価なものを採用する必要がなくなり、安価な設備で苗の貯蔵が可能である。
【００９６】
以上、この発明の実施の形態を図により説明してきたが、具体的な構成はこの実施の形態に限らず、この発明の要旨を逸脱しない範囲の設計の変更があってもこの発明に含まれる。
【００９７】
例えば、蓄熱体として育苗棚１６の上部に設けられた灌水タンク１８内の灌水１８aを利用しているが、熱容量の大きなものを蓄熱体として選定し、苗１４の根圏域近傍に設けてもよい。
【００９８】
このようにしても、苗１４の根圏域の温度を室内空間１１aの温度変動から緩衝することができ、前記根圏域温度の変動を微少に留めることができる。
【００９９】
また、断熱材として発泡スチロール１８aを用いているが、断熱性が高いものであれば他のものでもよい。
【０１００】
そして、苗１４は実生苗でも、接ぎ木苗でもよく、また苗の品種もどのようなものでも貯蔵が可能である。
【０１０１】
さらに、貯蔵中の苗１４の茎葉の黄化を防止するため、貯蔵前の段階で、葉緑素の生成に必要なマグネシウム、鉄、マンガン等の葉緑素生成促進元素を含有する肥料２１が与えられて育成されいる苗１４を用いているが、従来のようにこのような施肥を行っていない苗であっても当然貯蔵が可能である。
【０１０２】
また、本実施形態では、植物苗貯蔵システム１０を活着養生後の苗の貯蔵のために用いているが、必ずしも貯蔵にのみ使用するものでなくてもよく、苗の発芽や養生作業等も行えるような多目的システムとしてもよい。
【０１０３】
さらに、本発明の植物苗貯蔵システム１０は、従来用いられていた植物苗の貯蔵庫を改造するだけでも得ることができる。
【０１０４】
このようにすれば、新規設備導入の費用を抑えて、植物苗貯蔵システム１０を得ることができる。
【０１０５】
【発明の効果】
本発明によれば、精密な温度制御が可能な制御システムを導入しなくても苗の貯蔵をすることができる植物苗貯蔵システム、及び貯蔵中の苗の茎葉の黄化を防止することができる植物苗貯蔵方法を提供することができる。
【図面の簡単な説明】
【図１】本発明の植物苗貯蔵システムの実施形態１を示した図である。
【図２】本発明の植物苗貯蔵方法に用いる植物苗の生産についての説明図である。
【図３】本発明の植物苗貯蔵システムの実施形態１の一つの変形例を示した図である。
【図４】本発明の植物苗貯蔵システムの実施形態２を示した図である。
【図５】本発明の植物苗貯蔵システムの実施形態２の一つの変形例を示した図である。
【符号の説明】
１０  植物苗貯蔵システム
１１  貯蔵室
１１a  室内空間
１２  空調装置（気温調節手段）
１２a  ユニットクーラー
１３  湿度調節器
１４  苗（植物苗）
１４a  台木
１４b  穂木
１５  苗用容器
１６  育苗棚
１６a  苗配置部
１７  照明装置
根圏域緩衝手段
１５a  発泡スチロール（断熱材）
１８a  灌水（蓄熱体）
根圏域加温手段
２２  温水循環パイプ
２３  ヒーター
１８  灌水タンク
１９  灌水用パイプ
２０  苗生産施設
２１  肥料（葉緑素生成促進元素を含む肥料）
２２a  温水
【図１】
0003977149.tif 000002
【図２】
0003977149.tif 000003
【図３】
0003977149.tif 000004
【図４】
0003977149.tif 000005
【図５】
0003977149.tif 000006